(57)【要約】【課題】  本発明は、１つ若しくは複数のストロボ装置を用いて撮影する場合、主コンデンサの充電状態をユーザが音で確認しやすい電子カメラを提供する。【解決手段】  電子カメラは、撮像素子と、充電電圧検出部と、充電電圧判定部と、記憶部と、電気信号変換部と、報知処理部とを備える。撮像素子は、被写体像を光電変換して画像データを生成する。充電電圧検出部は、閃光発光用の主コンデンサの充電電圧を検出する。充電電圧判定部は、充電電圧検出部の検出結果に基づいて、充電電圧が閃光発光可能な閃光発光許可電圧に達しているか否かを判定する。記憶部は、第１報知音データと、第２報知音データとを予め記憶する。電気信号変換部は、第１報知音データと第２報知音データとを電気信号として、第１報知信号と第２報知信号とに各々変換する。報知処理部は、充電電圧判定部の判定結果に応じて、第１報知信号若しくは第２報知信号を音に変換して出力する。【選択図】    図１
2010117630.tif 000002
【特許請求の範囲】
【請求項１】
被写体像を光電変換して画像データを生成する撮像素子と、
閃光発光用の主コンデンサの充電電圧を検出する充電電圧検出部と、
前記充電電圧検出部の検出結果に基づいて、前記充電電圧が閃光発光可能な閃光発光許可電圧に達しているか否かを判定する充電電圧判定部と、
前記主コンデンサが充電中であることを示す第１報知音データと、前記主コンデンサが充電中であり、かつ、前記閃光発光許可電圧に達していることを示す第２報知音データとを予め記憶する記憶部と、
前記第１報知音データと前記第２報知音データとを電気信号として、第１報知信号と第２報知信号とに各々変換する電気信号変換部と、
前記充電電圧判定部の判定結果に応じて、前記第１報知信号若しくは前記第２報知信号を音に変換して出力する報知処理部と、
を備えることを特徴とする電子カメラ。
【請求項２】
被写体像を光電変換して画像データを生成する撮像素子と、
複数の閃光発光用の主コンデンサについて、各々の充電電圧を検出する充電電圧検出部と、
前記充電電圧検出部の検出結果に基づいて、前記主コンデンサのうち、少なくとも何れか１つの前記充電電圧が閃光発光可能な閃光発光許可電圧に達しているか否かを判定する充電電圧判定部と、
前記主コンデンサの全てが充電中であることを示す第１報知音データと、前記主コンデンサの全てが充電中であり、かつ、少なくとも何れか１つの前記充電電圧が前記閃光発光許可電圧に達していることを示す第２報知音データとを予め記憶する記憶部と、
前記第１報知音データと前記第２報知音データとを電気信号として、第１報知信号と第２報知信号とに各々変換する電気信号変換部と、
前記充電電圧判定部の判定結果に応じて、前記第１報知信号若しくは前記第２報知信号を音に変換して出力する報知処理部と、
を備えることを特徴とする電子カメラ。
【発明の詳細な説明】
【技術分野】
【０００１】
本発明は、閃光撮影を行う電子カメラに関する。
【背景技術】
【０００２】
従来、キセノン管等の放電による閃光撮影を電子カメラで行う場合、閃光撮影に先立って、閃光装置の主コンデンサの充電状態（充電中、充電完了）を音でユーザに知らせる技術が開示されている（例えば、特許文献１参照）。
【特許文献１】特開２００２−３７２７４１号公報
【発明の開示】
【発明が解決しようとする課題】
【０００３】
しかし、特許文献１に開示されている技術では、例えば、閃光装置の主コンデンサが充電完了（満充電電圧）になる前にシャッタチャンスが訪れた場合、ユーザはレリーズ操作をしても閃光発光がなされるのか否かを、音で判断できないという点で改善の余地がある。
【０００４】
そこで、本発明は、上記事情に鑑み、閃光撮影が可能な状態をユーザが音で確認しやすい電子カメラを提供することを目的とする。
【課題を解決するための手段】
【０００５】
第１の発明に係る電子カメラは、撮像素子と、充電電圧検出部と、充電電圧判定部と、記憶部と、電気信号変換部と、報知処理部とを備える。撮像素子は、被写体像を光電変換して画像データを生成する。充電電圧検出部は、閃光発光用の主コンデンサの充電電圧を検出する。充電電圧判定部は、充電電圧検出部の検出結果に基づいて、充電電圧が閃光発光可能な閃光発光許可電圧に達しているか否かを判定する。記憶部は、主コンデンサが充電中であることを示す第１報知音データと、主コンデンサが充電中であり、かつ、閃光発光許可電圧に達していることを示す第２報知音データとを予め記憶する。電気信号変換部は、第１報知音データと第２報知音データとを電気信号として、第１報知信号と第２報知信号とに各々変換する。報知処理部は、充電電圧判定部の判定結果に応じて、第１報知信号若しくは第２報知信号を音に変換して出力する。
【０００６】
第２の発明に係る電子カメラは、撮像素子と、充電電圧検出部と、充電電圧判定部と、記憶部と、電気信号変換部と、報知処理部とを備える。撮像素子は、被写体像を光電変換して画像データを生成する。充電電圧検出部は、複数の閃光発光用の主コンデンサについて、各々の充電電圧を検出する。充電電圧判定部は、充電電圧検出部の検出結果に基づいて、主コンデンサのうち、少なくとも何れか１つの充電電圧が閃光発光可能な閃光発光許可電圧に達しているか否かを判定する。記憶部は、主コンデンサの全てが充電中であることを示す第１報知音データと、主コンデンサの全てが充電中であり、かつ、少なくとも何れか１つの充電電圧が閃光発光許可電圧に達していることを示す第２報知音データとを予め記憶する。電気信号変換部は、第１報知音データと第２報知音データとを電気信号として、第１報知信号と第２報知信号とに各々変換する。報知処理部は、充電電圧判定部の判定結果に応じて、第１報知信号若しくは第２報知信号を音に変換して出力する。
【発明の効果】
【０００７】
本発明の電子カメラによれば、閃光撮影が可能な状態をユーザが音で確認しやすい。
【発明を実施するための最良の形態】
【０００８】
以下、図面に基づいて本発明の実施の形態を詳細に説明する。
（第１実施形態）
図１は、第１実施形態における電子カメラ１の内部構成を示すブロック図である。この電子カメラ１は、撮影レンズ１１と、撮像素子１２と、タイミングジェネレータ（ＴＧ）１３と、アナログフロントエンド部(以下、「ＡＦＥ」という。）１４と、ＲＡＭ（Ｒａｎｄｏｍ  Ａｃｃｅｓｓ  Ｍｅｍｏｒｙ）１５と、画像処理部１６と、記録インターフェース（記録Ｉ／Ｆ）１７と、記録媒体１８と、ＲＯＭ（Ｒｅａｄ  Ｏｎｌｙ  Ｍｅｍｏｒｙ）１９と、液晶モニタ２０と、操作部２１と、レリーズ釦２２と、第１閃光装置２３と、報知信号処理部２４と、スピーカ２５と、ＣＰＵ（Ｃｅｎｔｒａｌ  Ｐｒｏｃｅｓｓｉｎｇ  Ｕｎｉｔ）２６と、バス２７とを有している。
【０００９】
撮影レンズ１１は、ズームレンズと、フォーカスレンズとを含む複数のレンズ群で構成されている。簡単のため、図１では、撮影レンズ１１を１枚のレンズとして図示する。撮像素子１２は、撮影レンズ１１からの入射光を光電変換することにより、画像データを生成する。タイミングジェネレータ（ＴＧ）１３は、ＣＰＵ２６からの指示に従い撮像素子１２及びＡＦＥ１４の各々へ向けて駆動信号を送出し、それによって両者の駆動タイミングを制御する。
【００１０】
ＡＦＥ１４は、撮像素子１２の出力に対してアナログ信号処理を施すアナログフロントエンド回路である。このＡＦＥ１４は、画像データに対して、相関二重サンプリングや、ゲイン調整や、Ａ／Ｄ変換等を行う。このＡＦＥ１４が出力する画像データは、一時的にＲＡＭ１５に記憶される。
【００１１】
ＲＡＭ１５は、画像処理部１６が画像処理を行う画像データを一時的に記憶するバッファメモリである。画像処理部１６は、ＲＡＭ１５に記憶されている１フレーム分の画像データを読み出し、各種の画像処理（階調変換処理、輪郭強調処理、ホワイトバランス処理等）を施す。
【００１２】
記録インターフェース（記録Ｉ／Ｆ）１７には、記録媒体１８を接続するためのコネクタが形成されている。記録媒体１８は、不揮発性の記録媒体であって、半導体メモリを内蔵したメモリカード等で構成されている。画像処理部１６で画像処理が施された画像データは、記録インターフェース（記録Ｉ／Ｆ）１７を介して、記録媒体１８に記録される。
【００１３】
ＲＯＭ１９は、電子カメラ１の制御を行うプログラム等を予め記憶している不揮発性のメモリである。また、ＲＯＭ１９には、後述する第１報知音データと第２報知音データが予め記憶されている。
【００１４】
液晶モニタ２０は、ＣＰＵ２６の指示に応じて各種画像を表示する。なお、本実施形態での液晶モニタ２０は、接眼部を有する電子ファインダや、電子カメラ１の背面に設けられる液晶表示パネルの何れで構成されていてもよい。この液晶モニタ２０には、静止画撮影モードでの撮影待機時において、ＣＰＵ２６の制御によりライブビュー画像が動画表示される。また、ＣＰＵ２６は、各種設定項目の入力が可能なメニュー画面を液晶モニタ２０に表示させることもできる。さらに、ＣＰＵ２６は、第１閃光装置２３の充電状況を液晶モニタ２０にいわゆるインジケータ表示させることもできる（詳細は後述する）。
【００１５】
操作部２１は、例えば、コマンドダイヤル、十字状のカーソルキー、電源ボタン等を有している。そして、操作部２１は、電子カメラ１への各種入力をユーザから受け付ける。例えば、操作部２１は、上記メニュー画面での入力操作や、電子カメラ１の動作モードの切替操作等に用いられる。
【００１６】
レリーズ釦２２は、半押し操作（撮影前におけるオートフォーカス（ＡＦ）等の動作開始の指示入力）と全押し操作（撮像動作開始）との指示入力とをユーザから受け付ける。第１閃光装置２３は、被写体に向けて閃光を発光する装置である（詳細は後述する）。
【００１７】
報知信号処理部２４は、主コンデンサが充電中であることを示す第１報知音データ（まだ、閃光発光許可電圧に達していないことを意味する）と、主コンデンサが充電中であり、かつ、閃光発光許可電圧に達していることを示す第２報知音データをＲＯＭ１９から読み出す。ここで、閃光発光許可電圧とは、充電完了になる前に閃光撮影が可能となる充電電圧をいう。そして、報知信号処理部２４は、第１報知音データを電気信号に変換して第１報知信号を生成する。また、同様にして、報知信号処理部２４は、第２報知音データを電気信号に変換して第２報知信号を生成する。
【００１８】
スピーカ２５は、後述する充電電圧判定部２６ａの判定結果に応じて、第１報知信号若しくは第２報知信号を報知信号処理部２４から受信し、第１報知信号若しくは第２報知信号を音に変換して出力する。この場合、第１報知信号は、第１報知音に変換される。また、第２報知信号は、第２報知音に変換される。一例として、第１報知音と第２報知音とは、音色が異なるものとする。
【００１９】
ＣＰＵ２６は、電子カメラ１の統括的な制御を行うプロセッサである。充電電圧検出部２６ａは、閃光発光用の主コンデンサの充電電圧を充電開始から充電完了までを検出する。充電電圧判定部２６ｂは、充電電圧検出部２６ａの検出結果に基づいて、充電電圧が閃光発光可能な閃光発光許可電圧に達しているか否かを判定する。
【００２０】
次に、第１閃光装置２３について説明する。
【００２１】
図２は、第１閃光装置２３の内部構成を示すブロック図である。第１閃光装置２３は、電池２３ａと、昇圧トランス２３ｂと、充電制御ＩＣ（Ｉｎｔｅｇｒａｔｅｄ  Ｃｉｒｃｕｉｔ）２３ｃと、整流ダイオード２３ｄと、放電防止用ダイオード２３ｅと、主コンデンサ２３ｆと、発光部２３ｇと、抵抗２３ｈと、２３ｉとを有している。
【００２２】
電圧を昇圧する昇圧トランス２３ｂは、１次コイル２３ｂ−１及び２次コイル２３ｂ−２を有している。この１次コイル２３ｂ−１の一端が電池２３ａのプラス端子に接続されている。また、この１次コイル２３ｂ−１の他端が充電制御ＩＣ２３ｃに接続されている。電池２３ａのマイナス端子はグランド２３ｋと接続されている。
【００２３】
充電制御ＩＣ２３ｃは、昇圧トランス２３ｂの１次コイル２３ｂ−１に供給する１次電流を周期的にオン／オフするスイッチング素子（不図示）を内蔵している。このスイッチング素子は、一例として、高速でオン／オフのスイッチングが可能なＭＯＳ型ＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）のトランジスタである。
【００２４】
また、充電制御ＩＣ２３ｃは、図示しないものの、主コンデンサ２３ｆへの充電の開始と終了を制御するラッチ部（不図示）と昇圧トランス２３ｂの１次電流や整流された２次電流をモニタするモニタ部（不図示）とを有している。ラッチ部は、‘Ｌ（オフ状態）’と‘Ｈ（オン状態）’との２つの動作態様を有している。‘Ｌ（オフ状態）’は主コンデンサ２３ｆへの充電停止を表している。また、‘Ｈ（オン状態）’は主コンデンサ２３ｆへの充電開始を表している。モニタ部は、１次コイル２３ｂ−１に流れる１次電流が上限値に達するか否かをモニタする。
【００２５】
整流ダイオード２３ｄは、１次側コイルに流れる1次電流がオフされた瞬間にトランスの２次側コイルから発生するフライバックパルスを整流する。また、放電防止用ダイオード２３ｅは、閃光発光時以外の放電を防止する。
【００２６】
主コンデンサ２３ｆは、整流された２次電流を電気エネルギーとして蓄えることにより昇圧を行う。直列接続された抵抗２３ｈ、２３ｉは、主コンデンサ２３ｆの充電電圧を分圧する。分圧された電圧は、抵抗２３ｈ、２３ｉの接続点２３ｊから、不図示のＡ／Ｄ変換器でデジタル化され、そのデジタル化された値が電子カメラ１側のＣＰＵ２６に入力される。
【００２７】
ＣＰＵ２６は、第１閃光装置２３の動作を制御する。なお、第１閃光装置２３の動作を制御するための専用のＭＰＵ（Ｍｉｃｒｏ  Ｐｒｏｃｅｓｓｉｎｇ  Ｕｎｉｔ）を設けてもよい。本実施形態では、ＣＰＵ２６が、閃光装置制御用のＭＰＵと同等の機能を兼ね備えているものとする。
【００２８】
ＣＰＵ２６は、主コンデンサ２３ｆの充電開始を表す信号Ｓ１若しくは充電停止を表す信号Ｓ２を充電制御ＩＣ２３ｃに対して送信する。さらに、ＣＰＵ２６は、１次電流の上限値を表す信号Ｓ３を充電制御ＩＣ２３ｃに対して送信する。
【００２９】
発光部２３ｇは、コンデンサに充電された電気エネルギーを光エネルギーに変換する回路である。発光部２３ｇには、例えばキセノン管が備えられており、このキセノン管の放電により閃光発光を行う。
【００３０】
次に、電子カメラ１の閃光撮影の動作について説明する。
【００３１】
図３は、電子カメラ１の閃光撮影の動作を示すフローチャートである。このフローチャートは、電子カメラ１の電源がオンされた後、ユーザが、コマンドダイヤル等で閃光撮影モードを選択すると開始する。なお、ユーザが、静止画再生モードから静止画撮影モードに切り替えた後、さらに、コマンドダイヤル等で閃光撮影モードに選択することにより、このフローチャートを開始してもよい。ここでは、電子カメラ１の電源がオンされると、ディフォルトの設定として、充電状態を報知音で知らせる設定になるものとする。
【００３２】
ステップＳ１０１：ＣＰＵ２６は、操作部２１より閃光撮影モードの指示入力を受け付けた後、主コンデンサ２３ｆの充電開始を充電制御ＩＣ２３ｃに指示する。以下、主コンデンサ２３ｆの充電動作を簡単に述べる。充電制御ＩＣ２３ｃは、充電開始の制御信号Ｓ１をＣＰＵ２６から受信すると、主コンデンサ２３ｆの充電を開始する。この場合、充電制御ＩＣ２３ｃのラッチ部は、‘Ｌ（オフ状態）’から‘Ｈ（オン状態）’の状態になる。すると、充電制御ＩＣ２３ｃは、スイッチング素子をオンする。これにより、１次コイル２３ｂ−１に電流が流れ始める。
【００３３】
充電制御ＩＣ２３ｃは、１次電流が予め設定した上限値に達した場合にはスイッチング素子をオフする。これにより、２次電流が流れ始める。２次電流が流れると主コンデンサ２３ｆに電気エネルギーが蓄積される。ＣＰＵ２６は、２次電流の主コンデンサ２３ｆへの充電終了を検知すると、主コンデンサ２３ｆが満充電になっていない場合には、充電制御ＩＣ２３ｃに対して充電停止の制御信号Ｓ２を送信しない。そのため、充電制御ＩＣ２３ｃは、再度、スイッチング素子をオンする。このようにして、スイッチング素子のオン／オフが繰り返されるに伴って、主コンデンサ２３ｆは、満充電になるまで充電されていく。
【００３４】
ステップＳ１０２：充電電圧検出部２６ａは、抵抗２３ｈ、２３ｉにて分圧された電圧に基づいて、主コンデンサ２３ｆの充電電圧を検出する。なお、充電電圧検出部２６ａは、その後も主コンデンサ２３ｆの充電電圧の検出を行う。
【００３５】
ステップＳ１０３：充電電圧判定部２６ｂは、充電電圧検出部２６ａの検出結果に基づいて、充電電圧が閃光発光許可電圧に達しているか否かを判定する。充電電圧が閃光発光許可電圧以上の場合（ステップＳ１０３：Ｙｅｓ）、この処理は、ステップＳ１０６に移行する。充電電圧が閃光発光許可電圧未満の場合（ステップＳ１０３：Ｎｏ）、この処理は、ステップＳ１０４に移行する。
【００３６】
ステップＳ１０４：ＣＰＵ２６は、報知音の出力設定の有無を判定する。報知音の出力設定有りの場合（ステップＳ１０４：Ｙｅｓ）、この処理は、報知音の出力処理のサブルーチン（ステップＳ１０５）に移行する。報知音の出力設定無しの場合（ステップＳ１０４：Ｎｏ）、この処理は、液晶モニタの表示処理のサブルーチン（ステップＳ１０９）に移行する。これらのサブルーチンについては後述する。報知音の出力処理のサブルーチン若しくは液晶モニタの表示処理のサブルーチンが実行された後、この処理は、ステップＳ１０６に移行する。
【００３７】
ステップＳ１０６：ＣＰＵ２６は、ユーザからの撮影操作（半押し操作、全押し操作）があったか否かを判定する。撮影操作がない場合（ステップＳ１０６：Ｎｏ）、このステップＳ１０６の処理が繰り返される。撮影操作があった場合（ステップＳ１０６：Ｙｅｓ）、この処理は、ステップＳ１０７に移行する。
【００３８】
ステップＳ１０７：ＣＰＵ２６は、第１閃光装置２３側にトリガ信号を送信すると、充電制御ＩＣ２３ｃを介して、発光部２３ｇにて閃光発光がなされる。この際、閃光発光に同期して、ＣＰＵ２６は、撮像素子１２を駆動する。ＡＦＥ１４は、画像データのゲイン調整やＡ／Ｄ変換等を行う。このＡＦＥ１４が出力する画像データは、ＲＡＭ１５に一旦記憶される。画像処理部１６は、ＲＡＭ１５に記憶されている１フレーム分の画像データを読み出し、各種の画像処理（階調変換処理、輪郭強調処理、ホワイトバランス処理等）を施す。ＣＰＵ２６は、画像処理部１６で画像処理が施された画像データを、記録インターフェース（記録Ｉ／Ｆ）１７を介して、記録媒体１８に記録する。
【００３９】
ステップＳ１０８：ＣＰＵ２６は、撮影終了のコマンドを受け付けない場合（ステップＳ１０８：Ｎｏ）、この処理は、ステップＳ１０２に戻る。一方、ＣＰＵ２６は、撮影終了のコマンドを受け付けた場合（ステップＳ１０８：Ｙｅｓ）、図３に示す処理ルーチンを終了する。
【００４０】
次に、報知音の出力処理のサブルーチンについて説明する。
【００４１】
図４は、報知音の出力処理のサブルーチンを示すフローチャートである。
【００４２】
ステップＳ２０１：ＣＰＵ２６は、報知信号処理部２４に指示を出し、報知信号処理部２４は、先ず、ＲＯＭ１９から第１報知音データと第２報知音データとを読み出す。
【００４３】
続いて、報知信号処理部２４は、第１報知音データを電気信号に変換して、第１報知信号を生成する。報知信号処理部２４は、第１報知信号をスピーカ２５に送信する。スピーカ２５は、第１報知信号を報知信号処理部２４から受信し、その第１報知信号を音（第１報知音）に変換して出力する。
【００４４】
ステップＳ２０２：充電電圧判定部２６ｂは、充電電圧検出部２６ａの検出結果に基づいて、充電電圧が閃光発光許可電圧に達しているか否かを判定する。充電電圧が閃光発光許可電圧に達していない場合（ステップＳ２０２：Ｎｏ）、このステップＳ２０２の処理が繰り返される。すなわち、第１報知音がスピーカ２５から報知され続ける。充電電圧が閃光発光許可電圧に達した場合（ステップＳ２０２：Ｙｅｓ）、この処理は、ステップＳ２０３に移行する。
【００４５】
ステップＳ２０３：ＣＰＵ２６は、報知信号処理部２４に指示を出し、報知信号処理部２４は、第２報知音データを電気信号に変換して、第２報知信号を生成する。報知信号処理部２４は、第１報知信号の送信を停止し、第２報知信号をスピーカ２５に送信する。すなわち、報知信号処理部２４は、第１報知信号から第２報知信号に切り替える。スピーカ２５は、第２報知信号を報知信号処理部２４から受信し、その第２報知信号を音（第２報知音）に変換して出力する。
【００４６】
ステップＳ２０４：充電電圧判定部２６ｂは、充電電圧検出部２６ａの検出結果に基づいて、充電電圧が満充電電圧に達しているか否かを判定する。充電電圧が満充電電圧に達していない場合（ステップＳ２０４：Ｎｏ）、このステップＳ２０４の処理が繰り返される。すなわち、第２報知音がスピーカ２５から報知され続ける。
【００４７】
なお、図４には明示していないものの、第１報知音から第２報知音に変更されたことを受けて、ユーザが半押し操作をすると、この処理は、図３に示すステップＳ１０６に移行する。すなわち、充電完了を待たずに、閃光撮影がなされる処理に移行する。
【００４８】
ユーザが半押し操作をしないまま、充電電圧が満充電電圧に達した場合（ステップＳ２０４：Ｙｅｓ）、この処理は、ステップＳ２０５に移行する。
【００４９】
ステップＳ２０５：ＣＰＵ２６は、充電制御ＩＣ２３ｃに指示を出して、主コンデンサ２３ｆの充電を停止させる。また、ＣＰＵ２６は、報知信号処理部２４に指示を出し、スピーカ２５からの第２報知音の出力を停止させる。そして、このサブルーチンを終了し、図３に示すステップＳ１０６に戻る。
【００５０】
次に、液晶モニタの表示処理のサブルーチンについて説明する。このサブルーチンは、閃光撮影の際、例えば、周囲が騒音等で音が聞き取りづらい状況に対応するための処理である。
【００５１】
図５は、液晶モニタの表示処理のサブルーチンを示すフローチャートである。
【００５２】
ステップＳ３０１：ＣＰＵ２６は、液晶モニタ２０上に充電電圧の充電状況が視認できるように、インジケータ表示を行わせる。
【００５３】
ステップＳ３０２：充電電圧判定部２６ｂは、充電電圧検出部２６ａの検出結果に基づいて、充電電圧が満充電電圧に達しているか否かを判定する。充電電圧が満充電電圧に達していない場合（ステップＳ３０２：Ｎｏ）、このステップＳ３０２が繰り返される。充電電圧が満充電電圧に達した場合（ステップＳ３０２：Ｙｅｓ）、この処理は、ステップＳ３０３に移行する。
【００５４】
ステップＳ３０３：ＣＰＵ２６は、液晶モニタ２０上のインジケータ表示を終了させるとともに、充電制御ＩＣ２３ｃに指示を出して、主コンデンサ２３ｆの充電を停止させる。そして、このサブルーチンを終了し、図３に示すステップＳ１０６に戻る。
【００５５】
以上より、第１実施形態の電子カメラ１によれば、第１報知音と第２報知音とを用いることにより、主コンデンサ２３ｆの充電状態をユーザが音で確認しやすい。つまり、ユーザは、第２報知音が報知されることにより、充電電圧が満充電電圧に達していないものの、閃光発光許可電圧に達していることを知ることができる。これにより、満充電電圧に達する前に訪れるシャッタチャンスにレリーズ操作を行うことができる。また、第２報知音が停止することにより、満充電電圧に達したことをユーザが知ることができる。例えば、閃光撮影の連写を行う場合には、満充電電圧に達した後にレリーズ操作をすることが望ましいため、ユーザは、第２報知音が停止するまで待てばよい。
【００５６】
なお、上記第１報知音と第２報知音とは、異なる音色の音で区別したが、ユーザが判別できる音であれば特に限定されない。例えば、周波数の高低による音で区別してもよい。また、数秒程度の効果音などで区別してもよい。また、擬似的に音声で報知してもよい。この場合、例えば、第１報知音から第２報知音に切り替わった後、充電完了までをカウントダウンするようにしてもよい。
【００５７】
また、近年の電子カメラにおいて、主コンデンサ充電用の昇圧トランスには巻線トランスを使用した回路が一般的になっているが、充電制御ＩＣのスイッチング周波数が大きくなっているため、ユーザが、いわゆるうなり音を確認できなくなっている。そこで、例えば、うなり音を擬似的に低音（第１報知音）から高音（第２報知音）に切り替えるようにして、スピーカ２５から報知するようにしてもよい。
【００５８】
（第２実施形態）
次に、第２実施形態について説明する。なお、本発明の第１実施形態と本発明の第２実施形態とでは、同じ要素については説明を省略する。
【００５９】
図６は、第２実施形態における電子カメラ１の内部構成を示すブロック図である。第２実施形態では、第１閃光装置２３と第２閃光装置３０とを用いて閃光撮影を行う。電子カメラ１は、閃光装置の接続用端子であるホットシュー２８を介して、第２閃光装置３０を外付け閃光装置として装着している。これにより、電子カメラ１と第２閃光装置３０とが電気的に接続される。
【００６０】
図７は、第２閃光装置３０の内部構成を示すブロック図である。第２閃光装置３０は、ホットシュー２８を介して、ＣＰＵ２６と通信を行う点が第１閃光装置２３と異なる。それ以外については、第２閃光装置３０の内部構成は、第１閃光装置２３と同様であるので、説明は省略する。なお、図６に示すＲＯＭ１９には、第１閃光装置２３の主コンデンサ２３ｆと第２閃光装置３０の主コンデンサ３０ｆとが充電中であることを示す第１報知音データと、それらの主コンデンサ２３ｆ、３０ｆが充電中であり、かつ、少なくとも何れか１つの充電電圧が閃光発光許可電圧に達していることを示す第２報知音データとが予め記憶されている。
【００６１】
第２実施形態では、第１閃光装置２３と第２閃光装置３０を併用するため、充電電圧検出部２６ａと充電電圧判定部２６ｂとの処理が、第１実施形態と異なる。
【００６２】
充電電圧検出部２６ａは、主コンデンサ２３ｆ、３０ｆについて、各々の充電電圧の充電開始から充電完了までを検出する。
【００６３】
充電電圧判定部２６ｂは、充電電圧検出部２６ａの検出結果に基づいて、主コンデンサ２３ｆ、３０ｆのうち、何れかの充電電圧が閃光発光許可電圧に達しているか否かを判定する。
【００６４】
その他の構成は、第１実施形態と同様である。以下、第２実施形態における電子カメラ１の閃光撮影動作の一例を説明する。
【００６５】
図８は、第２実施形態における電子カメラ１の閃光撮影の動作を示すフローチャートである。
【００６６】
ステップＳ４０１：ＣＰＵ２６は、第１実施形態と同様にして、閃光撮影モードの指示入力を受け付けた後、第１閃光装置２３の主コンデンサ２３ｆの充電開始を充電制御ＩＣ２３ｃに指示する。また、ＣＰＵ２６は、第２閃光装置３０の主コンデンサ３０ｆの充電開始を充電制御ＩＣ２３ｃに指示する。
【００６７】
ステップＳ４０２：充電電圧検出部２６ａは、主コンデンサ２３ｆ及び主コンデンサ３０ｆの充電電圧を検出する。なお、充電電圧検出部２６ａは、その後も主コンデンサ２３ｆ及び主コンデンサ３０ｆの充電電圧の検出を行う。
【００６８】
ステップＳ４０３：充電電圧判定部２６ｂは、充電電圧検出部２６ａの検出結果に基づいて、主コンデンサ２３ｆ若しくは主コンデンサ３０ｆの充電電圧が閃光発光許可電圧に達しているか否かを判定する。何れかの充電電圧が閃光発光許可電圧以上の場合（ステップＳ４０３：Ｙｅｓ）、この処理は、ステップＳ４０６に移行する。両者の充電電圧が閃光発光許可電圧未満の場合（ステップＳ４０３：Ｎｏ）、この処理は、ステップＳ４０４に移行する。
【００６９】
ステップＳ４０４：ＣＰＵ２６は、報知音の出力設定の有無を判定する。報知音の出力設定有りの場合（ステップＳ４０４：Ｙｅｓ）、この処理は、報知音の出力処理のサブルーチン（ステップＳ４０５）に移行する。報知音の出力設定無しの場合（ステップＳ４０４：Ｎｏ）、この処理は、液晶モニタの表示処理のサブルーチン（ステップＳ４０９）に移行する。これらのサブルーチンについては後述する。報知音の出力処理のサブルーチン若しくは液晶モニタの表示処理のサブルーチンが実行された後、この処理は、ステップＳ４０６に移行する。以下の処理は、第１実施形態と同様であるので説明を省略する。以上より、図８に示す処理ルーチンを終了する。
【００７０】
次に、第２実施形態における報知音の出力処理のサブルーチンについて説明する。
【００７１】
図９は、第２実施形態における報知音の出力処理のサブルーチンを示すフローチャートである。
【００７２】
ステップＳ５０１：報知信号処理部２４は、図４に示すステップＳ２０１と同様の処理を行うことにより、第１報知信号をスピーカ２５に送信する。スピーカ２５は、第１報知信号を報知信号処理部２４から受信し、その第１報知信号を音（第１報知音）に変換して出力する。
【００７３】
ステップＳ５０２：充電電圧判定部２６ｂは、充電電圧検出部２６ａの検出結果に基づいて、主コンデンサ２３ｆ若しくは３０ｆの充電電圧が閃光発光許可電圧に達しているか否かを判定する。何れの充電電圧も閃光発光許可電圧に達していない場合（ステップＳ５０２：Ｎｏ）、このステップＳ５０２の処理が繰り返される。すなわち、第１報知音がスピーカ２５から報知され続ける。主コンデンサ２３ｆ若しくは３０ｆの何れかの充電電圧が閃光発光許可電圧に達した場合（ステップＳ５０２：Ｙｅｓ）、この処理は、ステップＳ５０３に移行する。
【００７４】
ステップＳ５０３：報知信号処理部２４は、図４に示すステップＳ２０３と同様の処理を行うことにより、第１報知信号から第２報知信号に切り替える。スピーカ２５は、第２報知信号を報知信号処理部２４から受信し、その第２報知信号を音（第２報知音）に変換して出力する。なお、第１報知音から第２報知音に切り替わったことを受けて、ユーザが半押し操作をすると、この処理は、図８に示すステップＳ４０６に移行する。
【００７５】
ステップＳ５０４：充電電圧判定部２６ｂは、充電電圧検出部２６ａの検出結果に基づいて、主コンデンサ２３ｆ及び３０ｆの充電電圧が満充電電圧に達しているか否かを判定する。両者の充電電圧が満充電電圧に達していない場合（ステップＳ５０４：Ｎｏ）、このステップＳ５０４の処理が繰り返される。充電電圧が満充電電圧に達した場合（ステップＳ５０４：Ｙｅｓ）、この処理は、ステップＳ５０５に移行する。
【００７６】
ステップＳ５０５：ＣＰＵ２６は、充電制御ＩＣ２３ｃに指示を出して、満充電になった主コンデンサ２３ｆ、３０ｆの充電を停止させる。ここでは、ＣＰＵ２６は、主コンデンサ２３ｆ、３０ｆのうち、満充電になった方から充電を順次停止させるものとする。
【００７７】
また、ＣＰＵ２６は、報知信号処理部２４に指示を出し、スピーカ２５からの第２報知音の出力を停止させる。そして、このサブルーチンを終了し、図３に示すステップＳ１０６に戻る。
【００７８】
次に、液晶表示モニタの表示処理のサブルーチンについて説明する。既に、上述した第１実施形態における液晶表示モニタの表示処理のサブルーチン（図５）と異なる点は、ステップＳ３０１において、ＣＰＵ２６は、主コンデンサ２３ｆ、３０ｆの充電電圧の充電状況について、液晶モニタ２０上で各々インジケータ表示を行わせる点である。また、ステップＳ３０２において、充電電圧判定部２６ｂは、充電電圧検出部２６ａの検出結果に基づいて、両者の充電電圧が満充電電圧に達しているか否かを判定する点である。その他の処理の流れは、同様であるので説明は省略する。
【００７９】
以上より、第２実施形態の電子カメラ１によれば、複数の閃光装置も用いて撮影する場合、何れか１つの閃光装置も用いた閃光撮影若しくは複数の閃光装置を用いた閃光撮影をユーザが報知音によって選択することができる。
【００８０】
なお、複数の閃光装置を用いた閃光撮影として、２台の閃光装置について説明したが、３台以上であってもよい。
【図面の簡単な説明】
【００８１】
【図１】第１実施形態における電子カメラ１の内部構成を示すブロック図
【図２】第１閃光装置２３の内部構成を示すブロック図
【図３】電子カメラ１の閃光撮影の動作を示すフローチャート
【図４】報知音の出力処理のサブルーチンを示すフローチャート
【図５】液晶モニタの表示処理のサブルーチンを示すフローチャート
【図６】第２実施形態における電子カメラ１の内部構成を示すブロック図
【図７】第２閃光装置３０の内部構成を示すブロック図
【図８】第２実施形態における電子カメラ１の閃光撮影の動作を示すフローチャート
【図９】第２実施形態における報知音の出力処理のサブルーチンを示すフローチャート
【符号の説明】
【００８２】
１２・・・撮像素子、２６ａ・・・充電電圧検出部、２６ｂ・・・充電電圧判定部、２４・・・報知信号処理部、２５・・・スピーカ
【図１】
2010117630.tif 000003
【図２】
2010117630.tif 000004
【図３】
2010117630.tif 000005
【図４】
2010117630.tif 000006
【図５】
2010117630.tif 000007
【図６】
2010117630.tif 000008
【図７】
2010117630.tif 000009
【図８】
2010117630.tif 000010
【図９】
2010117630.tif 000011